(57)【要約】【課題】被取付体の開口部から取り外す際に、上部側の部材のみを持って取り外し、下側の部材が残ることを抑制し、さらに栓体の挿入部と被取付体の開口部との摩擦を抑えて容易に取り外すことを可能とする。【解決手段】プレート５に貫通孔１２を形成して、この貫通孔１２から把持部１６をプレート５の外部に突出させる。これにより、仮封止用器具１を被取付体２の開口部３から外すそうと意図する者に対し把持部１６を持って外すように誘導することができる。また、把持部１６を持って持ち上げる際に栓体６が径方向外側に引っ張られないため、栓体６の挿入部１４が被取付体２の開口部３の側面に押し付けられず、容易に仮封止用器具１を抜き出すことが可能となる。【選択図】  図１
2007285250.tif 000002
【特許請求の範囲】
【請求項１】
プレートと可撓性を有する栓体とを組み合わせて構成され、前記プレートは、前記栓体との組み付け方向に沿って延びる貫通孔を有し、前記栓体は、被取付体の開口部に挿入される挿入部及び、前記プレートの貫通孔を挿通することで当該プレートのうち被取付体側とは反対側に突出する把持部を有することを特徴とする被取付体の開口部の仮封止用器具。
【請求項２】
前記栓体に前記プレートと組み合わせるための嵌合突起部が形成され、前記プレートに前記栓体の嵌合突起部が挿嵌される嵌合孔と、前記被取付体に固定するためのボルト挿通孔とが形成されていると共に、前記プレートの貫通孔から前記栓体の把持部が突出する部位は、前記嵌合孔を基点として前記ボルト挿通孔側とは反対側の範囲であることを特徴とする請求項１に記載の被取付体の開口部の仮封止器具。
【請求項３】
前記プレートに被取付体の位置決めピンが挿通するピン挿通孔を有し、このピン挿通孔は、前記貫通孔から突出した前記把持部と前記挿入部とを結ぶ直線上からずれた位置に形成されていることを特徴とする請求項２に記載の被取付体の開口部の仮封止器具。
【発明の詳細な説明】
【技術分野】
【０００１】
この発明は、圧縮機等の流体機器や配管コネクタ等の被取付体の開口部を仮封止して被取付体の内部に異物が侵入するのを防ぐための器具の構造に関するものである。
【背景技術】
【０００２】
圧縮機をその製造工場から他の工場まで搬出するにあたり、圧縮機の吸入口・吐出口から水、塵埃等の異物が侵入するのを防止し、且つ漏洩の有無の検査用に当該圧縮機の内部に封入したガスが吸入口・吐出口から漏洩するのを防止するために、封栓装置で圧縮機の吸入口・吐出口を一時的に封止することは既に公知である（例えば、特許文献１を参照。）。
【０００３】
そして、この特許文献１に示される圧縮機の封栓装置は、栓体と、この栓体に対し表面側に位置する基板との複数の部材で構成されており、栓体はゴム質のもので、封栓装置を吸入口・吐出口から抜き出す利便性のために栓体の上縁に張り出した鍔（フランジ）から胴部の径方向に延出する把手部が栓体と一体化して形成された構成となっている。これにより、特許文献１では、把手部を持って上方に持ち上げることで封栓装置を吸入口・吐出口から抜き出すことを可能としている。
【０００４】
また、配管コネクタの運搬の際に管状接続部からの塵埃等の侵入等を防止するために配管コネクタに組み付ける配管コネクタ用キャップについては本願出願人によって開発されている（例えば、特許文献２を参照。）。この特許文献２に示される配管コネクタ用キャップは、単一の部材で形成されているところ、開口部内への収納部に対し径方向に延出した取手が当該キャップと一体化して形成されており、この取手を持って上方に持ち上げることで配管コネクタ用キャップを管状接続部から抜き出すことを可能としている。
【特許文献１】特開平１０−２１３０７１号公報
【特許文献２】特開平９−２１０２８４号公報
【発明の開示】
【発明が解決しようとする課題】
【０００５】
しかしながら、特許文献１に示される圧縮機の封栓装置のように、流体機器の面に対し上下に並設された複数の部材で構成されている場合には、下方に位置する部材（すなわち栓体）に把持部が設けられていても、この下方に位置する部材を認識せずに上方に位置する部材（すなわちプレート）を引っ張ってしまい、上方に位置する部材と下方に位置する部材との接続が外れて、下方に位置する部材が残置されてしまうおそれがある。
【０００６】
また、把持部が径方向外方に位置しているため、把持部を認識して引っ張ったとしても、栓体が径方向外側に引っ張られることとなり、栓体の挿入部が被取付体の開口部の側面に押し付けられ、引き抜きにくくなってしまうという問題を有する。
【０００７】
そこで、本発明は、被取付体の開口部から取り外す際に、上部側の部材のみを持って取り外し、下側の部材が残ることを抑制し、さらに栓体の挿入部と被取付体の開口部との摩擦を抑えて容易に取り外すことが可能な、被取付体の開口部の仮封止用器具を提供することを目的とするものである。
【課題を解決するための手段】
【０００８】
この発明に係る被取付体の開口部の仮封止用器具は、プレートと可撓性を有する栓体とを組み合わせて構成され、前記プレートは、前記栓体との組み付け方向に沿って延びる貫通孔を有し、前記栓体は、被取付体の開口部に挿入される挿入部及び前記プレートの貫通孔を挿通することで当該プレートのうち被取付体側とは反対側に突出する把持部を有することを特徴とするものである（請求項１）。これにより、仮封止用器具を被取付体から取り外そうとする者は、プレートから突出した栓体の把持部を仮封止用器具を外すためのものとして正確に認識するので、この把持部を持って取り外し作業を行うように確実に誘導することができる。しかも、把持部を持って持ち上げる際に栓体が径方向外側に引っ張られないため、栓体の挿入部が被取付体の開口部の側面に押し付けられず、容易に仮封止用器具を抜き出すことができる。尚、被取付体は、例えば圧縮機等の流体機器や配管コネクタ等である。また、開口部は、圧縮機にあっては吸入口・吐出口、配管コネクタにあっては管状接続部である。
【０００９】
そして、この発明に係る被取付体の開口部の仮封止用器具は、前記栓体に前記プレートと組み合わせるための嵌合突起部が形成され、前記プレートに前記栓体の嵌合突起部が挿嵌される嵌合孔と、前記被取付体に固定するためのボルト挿通孔とが形成されていると共に、前記プレートの貫通孔から前記栓体の把持部が突出する部位は、前記嵌合孔を基点として前記ボルト挿通孔側とは反対側の範囲であることを特徴とするものである（請求項２）。これにより、例えば圧縮機の吸入口・吐出口を仮封止するための仮封止用器具として用いる場合に、把持部を持って仮封止用器具を持ち上げる際に圧縮機の他の部位が障害となることがない。
【００１０】
さらに、この発明に係る被取付体の開口部の仮封止用器具は、前記プレートに被取付体の位置決めピンが挿通するピン挿通孔を有し、このピン挿通孔は、前記貫通孔から突出した前記把持部と前記挿入部とを結ぶ直線上からずれた位置に形成されていることを特徴とするものである（請求項３）。これにより、ピン挿通孔がプレートの縁近傍部位に形成されているために、ピン挿通孔の周縁部位の肉厚が一部において相対的に薄くなっても、当該ピン挿通孔の周縁部位に仮封止用器具を外す際に加わる応力が相対的に小さくなる。
【発明の効果】
【００１１】
請求項１に記載の発明によれば、仮封止用器具を被取付体から取り外そうとする者は、プレートから突出した栓体の把持部を仮封止用器具を外すためのものとして正確に認識することができる。このため、プレートのみを持って仮封止用器具を取り外そうとする行為が抑制されるので、栓体が開口部に装着されたままとなって、更に栓体を取り外す作業という二重の作業が不要となり、仮封止用器具の取り外し作業の効率化を図ることが可能である。しかも、把持部を持って持ち上げる際に栓体が径方向外側に引っ張られることがないため、栓体の挿入部が被取付体の開口部の側面に押し付けられず、容易に仮封止用器具を取り外すことができる。
【００１２】
請求項２に記載の発明によれば、例えば圧縮機の吸入口・吐出口を仮封止するための仮封止用器具として用いる場合に、把持部を持って仮封止用器具を持ち上げる際に圧縮機の他の部位が障害となることがない。
【００１３】
請求項３に記載の発明によれば、ピン挿通孔がプレートの縁近傍部位に形成されているために、ピン挿通孔の周縁部位の肉厚が一部において相対的に薄くなっても、当該ピン挿通孔の周縁部位に仮封止用器具を外す際に加わる応力を相対的に小さくすることができるので、ピン挿通孔の周縁の肉厚が薄い部分が変形するのを防止することが可能である。
【発明を実施するための最良の形態】
【００１４】
以下、この発明の実施形態の一例を図面により説明する。
【００１５】
図１から図５において、この発明に係る仮封止用器具１の一例が示されている。この仮封止用器具１は、圧縮機、配管コネクタ等の被取付体２に対し、圧縮機にあっては吸入口・吐出口、配管コネクタにあっては管状接続部等の開口部３を一時的に閉塞するための栓として機能するものである。そして、この仮封止用器具１は、プレート５と栓体６とを組み合わせて構成されている。
【００１６】
プレート５は、相対的に硬質のもので、その外形状は、被取付体２の開口部３の周縁に窪み４が形成されている場合にはその窪み４の底面と略同じ形状をなしている。また、このプレート５は、仮固定用ボルト２２が挿通するボルト挿通孔７が短手方向に沿って貫通して形成されている。また、プレート５は、この実施形態では被取付体２の開口部３の周縁に形成された位置決めピン２０が挿通するピン挿通孔８が形成されている。更に、プレート５は、相対的に大径の大孔９とこの大孔９の軸方向に連続し当該大孔９に対し相対的に小径の嵌合孔１０とが形成されており、この大孔９と嵌合孔１０とでプレート５を貫通している。このような大孔９と嵌合孔１０との径の寸法差に伴い、大孔９の周縁から嵌合孔１０の周縁まで連なる底面部１１を有している。プレート５にこのような大孔９を有することで後述する把持部１６を指で摘むのが容易となっている。
【００１７】
そして、プレート５は、底面部１１に、後述する栓体６の把持部１６が突出するための貫通孔１２が形成されている。この貫通孔１２は、プレート５と栓体６との組み付け方向に沿って延びるもので、少なくとも把持部１６の基部近傍部位の外形状と略同じ周縁形状となっている。この実施形態では、細長い長方形状となっている。
【００１８】
栓体６は、可撓性を有するもので、被取付体２の開口部３の内形状と略同形状の外形状を有する挿入部１４と、この挿入部１４の略中央から当該挿入部１４の軸方向に沿って延出した嵌合突起１５と、挿入部１４から当該挿入部１４の軸方向に沿って且つ嵌合突起１５と同じ方向に突出した把持部１６とを有している。
【００１９】
嵌合突起１５は、その頂部の径寸法がプレート５の嵌合孔１０よりも若干大きくなって嵌合孔１０からの抜け防止が図られている一方、頂部の中心に孔部１８が形成されており頂部が嵌合孔１０を挿通する際に径方向中心に収縮し一時的に嵌合孔１０の内径よりも小さくなるように設定されている。
【００２０】
挿入部１４は、嵌合突起１５とは反対側の面において孔部１９が形成されており、把持部１６を持って引っ張る際に挿入部１４の外形状が縮小変形し易いようになっている。
【００２１】
把持部１６は、断面が細長い長方形状をなし、先端側に進むに従い厚みが薄くなっているもので、これにより指等で持ち易くなっていると共に、大孔９側において貫通孔１２の内側面との間に隙間が形成されており、把手部１６を持って引っ張る際の把持部１６の変形を容易化している。また、把持部１６の底面部１１からの突出幅は、例えば親指及び人差し指の腹部位で摘むのに最適な寸法（例えば２０ｍｍから３０ｍｍ）となっている。
【００２２】
そして、仮封止用器具１を被取付体２に仮組み付けするには図２及び図３に示されるような過程を採る。すなわち、ピン挿通孔８が位置決めピン２０に外挿しつつ仮封止用器具１を被取付体２の開口部３の周縁部位に接合させる。これにより、挿入部１４は正確に開口部３内に挿入されることとなる。そして、仮封止用器具１のボルト挿通孔７と被取付体２のボルト用ネジ孔２１とが連通した状態となるので、仮固定用ボルト２２をボルト挿通孔７側から挿入してボルト用ネジ孔２１に螺合することにより、仮封止用器具１と被取付体２とは開口部３の内面と挿入部１４の周面とで気密性良く嵌合される。よって、開口部３内に塵埃等の侵入を防止することができ、且つ被取付体２が圧縮機の場合には検査用に封入されたガスが不用意に開口部３から漏洩するのを防止することができる。
【００２３】
次に、把持部１６と、嵌合突起１５と、ボルト挿通孔７と、ピン挿通孔８との位置関係について図４に基づいて説明する。把持部１６は、嵌合突起１５の中心Ｐ２を基準としてボルト挿通孔７とは反対側の範囲で形成されている。すなわち、把持部１６の中心点Ｐ１と、嵌合突起１５の中心点Ｐ２と、ボルト挿通孔７の中心点Ｐ３とが同一の直線Ｌ１上にあるとした場合に、把持部１６は、前記Ｐ１を通り且つ直線Ｌ１と直交する直線Ｌ２と、プレート５の最端を示すＰ４を通り且つ直線Ｌ１と直交する直線Ｌ３との間となるＭの範囲で形成されている。これにより、被取付体２として圧縮機が用いられる場合には、中心点Ｐ２点側に障害となる他の部位を有することが多いところ、把持部１６をＭの範囲内に形成することで、中心点Ｐ２と反対側に仮封止用器具１が持ち上げられるので、仮封止用器具１の取り外し作業の妨げとなることがなくなる。
【００２４】
そして、ボルト挿通孔７の中心点Ｐ３が、直線Ｌ１上に位置するのに対し、ピン挿通孔８の中心点Ｐ５は中心点Ｐ２を起点として所定角度ほど直線Ｌ１上とずれた方向に位置している。また、把持部１６は、この実施形態では、断面が長方形状をなすところ、直線Ｌ１と直交する直線Ｌ４に沿って長手方向の幅が延出している。これにより、把持部１６を持って持ち上げた場合には、力は直線Ｌ１の線上で且つボルト挿通孔７より外側となる位置Ｘに応力が集中して働くこととなる。よって、ピン挿通孔８の周縁とプレート５の外縁との間の厚みＰが相対に小さくてもピン挿通孔８の周縁とプレート５の外縁との間の部位に応力が集中することがないので、変形することがない。
【００２５】
更には、図５に示されるように、把持部１６を持って白抜き矢印の方に持ち上げた場合には、把持部１６と貫通孔１２との間には隙間があるので把持部１６が若干だが上方に上がり、これを受けて挿入部１４の外形状も図５の矢印の方向に縮小変形する。よって、挿入部１４と開口部３との間に隙間が生じて仮封止用器具１を容易に開口部３から取り外すことができる。
【図面の簡単な説明】
【００２６】
【図１】図１は、この発明に係る仮封止用器具の構成の一例を示したもので、図１（Ａ）はこの仮封止用器具の平面図であり、図１（Ｂ）はこの仮封止用器具の断面図であり、図１（Ｃ）はこの仮封止用器具の背面図である。
【図２】図２は、同上の仮封止用器具の被取付体への仮組み付け過程を示す斜視図である。
【図３】図３は、同上の仮封止用器具の被取付体への仮組み付け状態を示す断面図である。
【図４】図４は、同上の仮封止用器具の把持部の位置関係を示す説明図である。
【図５】図５は、同上の仮封止用器具を外す際の方向及びこれに伴う栓体の変形を示す断面図である。
【符号の説明】
【００２７】
１  仮封止用器具１
２  被取付体
３  開口部
５  プレート
６  栓体
７  ボルト挿通孔
８  ピン挿通孔
１０  嵌合孔
１２  貫通孔
１４  挿入部
１５  嵌合突起
１６  把持部
２０  位置決めピン
２２  仮固定用ボルト
Ｐ１  把持部の中心点
Ｐ２  嵌合突起の中心点
Ｐ３  ボルト挿通孔の中心点
Ｌ１  中心点Ｐ１、Ｐ２、Ｐ３を通る直線
Ｍ  把持部が形成される範囲
【図１】
2007285250.tif 000003
【図２】
2007285250.tif 000004
【図３】
2007285250.tif 000005
【図４】
2007285250.tif 000006
【図５】
2007285250.tif 000007